(57)【要約】【課題】少ない部品数でキー入力装置を構成する。【解決手段】キー入力装置は、キースイッチを操作するための複数のキートップ２００と、上記キートップを裏から照射するバックライト５３０と、上記キートップの上下動に応じて開閉する接点を形成する信号線パターン、および上記バックライトに電力を供給する電力線パターンが印刷された基板５００と、を有する。【選択図】図６
2012133909.tif 000002
【特許請求の範囲】
【請求項１】
キースイッチを操作するための複数のキートップと、
前記キートップを裏から照射するバックライトと、
前記キートップの上下動に応じて開閉する接点を形成する信号線パターン、および前記バックライトに電力を供給する電力線パターンが印刷された基板と、
を備える、キー入力装置。
【請求項２】
前記基板は、リジッド基板である、請求項１に記載のキー入力装置。
【請求項３】
前記バックライトは、複数の前記キートップの裏にそれぞれ設けられる、請求項１または２のいずれかに記載のキー入力装置。
【請求項４】
前記キースイッチは、前記キートップの裏に当該キートップを上下動させるためのアクチュエータを有し、
前記アクチュエータは、前記基板に溶着される、請求項１〜３のいずれか１項に記載のキー入力装置。
【請求項５】
前記基板は、ガラスエポキシ基板である、請求項２に記載のキー入力装置。
【請求項６】
前記アクチュエータは、少なくとも一部が導電性を有し、前記キートップが押下されたときに前記接点と前記導電性を有する部分とが接触することにより入力信号が生成される、請求項４に記載のキー入力装置。
【発明の詳細な説明】
【技術分野】
【０００１】
本発明は、情報処理装置の入力に用いられるキー入力装置に関し、特に、バックライトによりキートップが発光するキー入力装置に関する。
【背景技術】
【０００２】
暗い環境において、情報処理装置の操作を補助するために、光る操作部を有する情報処理装置が近年開発されている。例えば、特許文献１には、キートップと、キートップを上下動させるためのギアリンク部と、ギアリンク部を保持するためのハウジング部と、ゴムアクチュエータと、メンブレンシートと、ギアリンク部をハウジング部により固定するためのサポートパネルと、導光板と、導光板に光を入射させる発光ダイオードとを有し、キーが発光するキーボードが開示されている。
【先行技術文献】
【特許文献】
【０００３】
【特許文献１】特開２０１０−１１８３１１号公報
【発明の概要】
【発明が解決しようとする課題】
【０００４】
しかし、上記キーボードは、構成部品数が多い。このため、組立工数が多くなり、材料費が高くなるという問題があった。そこで、本発明は、上記問題に鑑みてなされたものであり、本発明の目的とするところは、少ない部品で構成することが可能な、新規かつ改良されたバックライト付のキー入力装置を提供することにある。
【課題を解決するための手段】
【０００５】
上記課題を解決するために、本発明のある観点によれば、キースイッチを操作するための複数のキートップと、上記キートップを裏から照射するバックライトと、上記キートップの上下動に応じて開閉する接点を形成する信号線パターン、および上記バックライトに電力を供給する電力線パターンが印刷された基板と、を有する、キー入力装置が提供される。
【０００６】
かかる構成によれば、押下されたキーに応じた入力信号を生成するための信号線パターンと、キートップを照射する光源に電力を供給するための電力線パターンとが同一の基板上に印刷される。このため、電力線パターンの印刷される部品が、信号線パターンの印刷される部品と異なる場合と比較して、部品数が減少する。このため、組立て工数および材料費の低減が実現される。
【０００７】
また、上記基板は、リジッド基板であってよい。
【０００８】
また、上記バックライトは、複数の上記キートップの裏にそれぞれ設けられてよい。
【０００９】
また、上記キースイッチは、上記キートップの裏に当該キートップを上下動させるためのアクチュエータを有し、上記アクチュエータは、上記基板に溶着されてよい。
【００１０】
また、上記基板は、ガラスエポキシ基板であってよい。
【００１１】
また、上記アクチュエータは、少なくとも一部が導電性を有し、上記キートップが押下されたときに上記接点と上記導電性を有する部分とが接触することにより入力信号が生成されてよい。
【発明の効果】
【００１２】
以上説明したように本発明によれば、バックライト付のキー入力装置を少ない部品数で構成することができる。
【図面の簡単な説明】
【００１３】
【図１】本発明の一実施形態に係る入力装置を有する情報処理装置の外観図である。
【図２】同実施形態にかかる情報処理装置のハードウェア構成図である。
【図３】同実施形態にかかる情報処理装置の入力装置部分の概要図である。
【図４】同実施形態にかかる入力装置のキースイッチ構造の一例を示す分解斜視図である。
【図５】同実施形態にかかる入力装置の入力信号を生成する信号線のマトリックス構造の概要を示す説明図である。
【図６】同実施形態にかかる入力装置の基板上の信号線と電力線との配線パターン例を示す説明図である。
【図７】同実施形態にかかる入力装置の断面構造の一例を示す断面図である。
【図８】同実施形態にかかる入力装置のキースイッチ構造のうち機構部の溶着について説明するための説明図である。
【図９】従来の入力装置のキースイッチ構造の一例を示す分解斜視図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．概要
２．ハードウェア構成
３．キースイッチ構造
３−１．従来のキースイッチ構造
３−２．本実施形態のキースイッチ構造
３−３．基板構成
３−４．組立例
【００１６】
＜１．概要＞
まず、本発明の一実施形態に係る入力装置を有する情報処理装置の概要について図１を参照しながら説明する。図１は、本発明の一実施形態に係る入力装置を有する情報処理装置の外観図である。
【００１７】
ノートＰＣ（Ｐｅｒｓｏｎａｌ  Ｃｏｍｐｕｔｅｒ）１０は、入力装置を有する情報処理装置の一例である。このノートＰＣ１０は、表示装置側の筐体１２と入力装置側の筐体１４とを有する。なお、以下の実施形態においては、本発明の一実施形態に係る入力装置について説明するために、このノートＰＣ１０が用いられる。しかし、本発明は、かかる例に限定されない。本発明の一実施形態に係る入力装置は、その他あらゆる情報処理装置に搭載されてよい。或いは、入力装置は、情報処理装置と別体の装置であり、ケーブル又は通信路等を介して情報処理装置に入力信号を送信してもよい。
【００１８】
上述の通り、本実施形態に係る入力装置は、光るキートップを実現するために、バックライトを有する。バックライトを有する入力装置は、バックライトを有さない入力装置と比較して、構成部品が多くなる。例えば、導光板の一部に光源を設置することで、導光板を経由して複数のキートップを照明するバックライトキーボードがある。この入力装置は、バックライトを有さない入力装置の構成に加えて、板状材料である導光板を有する。このため、構成部品が多く、組立工数が多くかかっていた。また、この入力装置は、１つの光源の発する光を多くのキートップの照明に用いていた。このため、光の伝導効率が悪く、十分な輝度を得るためには大きな電力を必要としていた。
【００１９】
このため、本実施形態では、少ない部品数で構成されたバックライト付のキー入力装置について説明する。少ない部品数で構成されることにより、キー入力装置の組立工数が低減される。かかるキー入力装置の構成について、以下説明していく。
【００２０】
＜２．ハードウェア構成＞
次に、図２および図３を参照しながら、本発明の一実施形態に係る入力装置を有する情報処理装置の一例であるノートＰＣ１０のハードウェア構成について説明する。図２は、本実施形態にかかる情報処理装置のハードウェア構成図である。図３は、本実施形態にかかる情報処理装置の入力装置部分の概要図である。
【００２１】
ノートＰＣ１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４と、ブリッジ１０５と、外部バス１０６と、インタフェース１０７と、入力装置１０８と、出力装置１０９と、ストレージ装置（ＨＤＤ）１１０と、ドライブ１１１と、通信装置１１２とを有する。
【００２２】
ＣＰＵ１０１は、演算処理装置および制御装置として機能し、各種プログラムに従ってノートＰＣ１０内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一次記憶する。これらはＣＰＵバスなどから構成されるホストバス１０４により相互に接続されている。
【００２３】
ホストバス１０４は、ブリッジ１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０６に接続されている。なお、必ずしもホストバス１０４、ブリッジ１０５および外部バス１０６を分離構成する必要はなく、一のバスにこれらの機能を実装してもよい。
【００２４】
入力装置１０８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ１０１に出力する入力制御回路などから構成されている。ノートＰＣ１０のユーザは、該入力装置１０８を操作することにより、サーバ装置１０に対して各種のデータを入力したり処理動作を指示したりすることができる。
【００２５】
なお、本実施形態においては、この入力装置１０８のうちキーボード部分について主に説明される。図３に示されるように、ノートＰＣ１０は、入力装置側の筐体１４に複数のキートップ２００により操作されるキースイッチと、タッチパッド２１０と、ボタン２２０とを有する。このキースイッチと、タッチパッド２１０と、ボタン２２０とは、入力装置１０８の一例である。
【００２６】
出力装置１０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置と、スピーカおよびヘッドホンなどの音声出力装置で構成される。出力装置１０９は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００２７】
ストレージ装置１１０は、本実施形態にかかるノートＰＣ１０の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。このストレージ装置１１０は、ハードディスクを駆動し、ＣＰＵ１０１が実行するプログラムや各種データを格納する。
【００２８】
ここで、ストレージ装置１１０は、例えば、ＨＤＤ（Ｈａｒｄ  Ｄｉｓｋ  Ｄｒｉｖｅ）などの磁気記録媒体や、ＥＥＰＲＯＭ（Electronically  Erasable  and  Programmable  Read  Only  Memory）、フラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）などの不揮発性メモリが記憶媒体として用いられるが、上記に限られない。
【００２９】
ドライブ１１１は、記憶媒体用リーダライタであり、ノートＰＣ１０に内蔵、あるいは外付けされる。ドライブ１１１は、装着されている磁気ディスク、光ディスク、光磁気ディスク、または半導体メモリ等のリムーバブル記憶媒体１２０に記録されている情報を読み出して、ＲＡＭ１０３に出力する。
【００３０】
通信装置１１２は、例えば、通信網５０に接続するための通信デバイス等で構成された通信インタフェースである。また、通信装置１１２は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。
【００３１】
＜３．キースイッチ構造＞
次に、図４〜図９を参照しながら、本実施形態に係るキースイッチ構造の一例について、従来のキースイッチ構造例と比較しながら説明する。図４は、本実施形態にかかる入力装置のキースイッチ構造の一例を示す分解斜視図である。図５は、本実施形態にかかる入力装置の入力信号を生成する信号線のマトリックス構造の概要を示す説明図である。図６は、本実施形態にかかる入力装置の基板上の信号線と電力線との配線パターン例を示す説明図である。図７は、本実施形態にかかる入力装置の断面構造の一例を示す断面図である。図８は、本実施形態にかかる入力装置のキースイッチ構造のうち機構部の溶着について説明するための説明図である。図９は、従来の入力装置のキースイッチ構造の一例を示す分解斜視図である。
【００３２】
典型的にはキーボードとして実現されるキー入力装置は、それぞれのキースイッチに割当てられた入力信号をタイプされた順に入力する。キースイッチひとつひとつは、信号をＯＮ／ＯＦＦするスイッチであり、通常の状態ではＯＦＦ、押し下げた状態でＯＮとなる。この機能を実現するために、キースイッチは、キースイッチを操作するための操作部と、キートップを上下動させ、キートップを押し下げて行く過程の感触、いわゆるタイプ感を作り出すアクチュエータと、キートップの上下動に応じた入力信号を生成するスイッチ部と、を主に有する。また、光るキートップを実現するために、キー入力装置は、上記の構成に加えて光源部を有する。
【００３３】
（３−１．従来のキースイッチ構造）
ここで、まずは従来の入力装置のキースイッチ構造について、図９を参照しながら説明する。従来のキースイッチ構造によれば、キースイッチは、複数のキートップ２００と、機構部３００と、ラバードーム４００と、機構取り付け板９１０と、メンブレンシート９２０と、導光板９３０と、光源９４０と、支持板金９５０とを主に有する。
【００３４】
キートップ２００は、キーを操作するための操作部の一例である。キートップ２００は、下部から照射される光を透過させる透過部を少なくとも一部に有する。キートップ２００の表面には、一般的に、当該キートップ２００の操作により入力することができる文字又は記号などが記載される。或いは、キートップ２００の表面には、当該キートップ２００の操作により入力することができる操作内容を示す文字が記載される。
【００３５】
機構部３００およびラバードーム４００は、キートップ２００が押圧されると、キーを上下動させるとともに、キーを押し下げて行く過程の感触、いわゆるタイプ感を作り出すアクチュエータの一例である。機構部３００は、機構取り付け板９１０に固定され、キートップ２００を保持する。機構部３００は、キートップ２００を通常位置に保持すると共に、ユーザによりキートップ２００が押し下げられると、押し下げられた状態から再び通常位置へ復帰させるまでの上下動を補助する役割を有する。
【００３６】
ラバードーム４００は、ドーム状のばねである。また、本実施形態においてラバードーム４００は、キートップ２００が押圧されるとともに変形してメンブレンシート９２０に形成された、信号パターンの接点を接続させる。
【００３７】
機構取り付け板９１０は、機構部３００を取付けるための板状の部材である。機構取り付け板９１０は、導光板９３０から照射される光を透過させるために、透過性を有することが望ましい。
【００３８】
メンブレンシート９２０は、２枚の薄膜の間に穴の開いた絶縁シートが挟まれている。キートップ２００が押圧されると、絶縁シートの穴があいた部分を介して２枚の薄膜が接触する。この２枚の薄膜が接触する部分には、接点が設けられている。メンブレンシート９２０は、この接点が接触すると、入力信号を生成する。
【００３９】
導光板９３０は、光源９４０からの光を伝える板状の部材である。なお、図示していないが、この導光板９３０は、複数のキートップ２００の下部領域に渡って設けられ、複数のキートップ２００を照明する機能を有する。
【００４０】
光源９４０は、例えばＬＥＤ（Ｌｉｇｈｔ  Ｅｍｉｔｔｉｎｇ  Ｄｉｏｄｅ）などの発光素子である。光源９４０は、発した光を導光板９３０を介してキートップ２００を照明する。
【００４１】
支持板金９５０は、キートップ２００と、機構部３００と、ラバードーム４００と、機構取り付け板９１０と、メンブレンシート９２０と、導光板９３０と、光源９４０と、を保持する。支持板金９５０は、タイピング時の圧力に耐えられるように、ある程度の強度を有するものであることが好ましい。
【００４２】
以上説明したように、従来のキースイッチ構造は、複数の板状部材を含み、構成部品が多いために組立て工数が多かった。これに対して、次に説明する本実施形態のキースイッチ構造は、基板５００上に入力信号を生成するための信号線パターンと、光源であるＬＥＤ５３０に電力を供給するための電力供給パターンとを印刷する。そしてさらに、基板５００上に機構部３００、ラバードーム４００、及びＬＥＤ５３０が直接接着される。これにより、構造が簡素化される。
【００４３】
（３−２．本実施形態のキースイッチ構造）
次に、本実施形態に係る入力装置のキースイッチ構造について、図４を参照しながら説明する。本実施形態の構造によれば、キースイッチは、キートップ２００と、機構部３００と、ラバードーム４００と、基板５００と、ＬＥＤ５３０と、を主に有する。
【００４４】
キートップ２００は、キースイッチを操作するための操作部の一例である。キートップ２００は、機構部３００により保持される。キートップ２００は、下部から照射される光を透過させる透過部を少なくとも一部に有する。キートップ２００の表面には、一般的に、当該キートップ２００の操作により入力することができる文字又は記号などが記載される。或いは、キートップ２００の表面には、当該キートップ２００の操作により入力することができる操作内容を示す文字が記載される。
【００４５】
機構部３００およびラバードーム４００は、キートップ２００が押圧されると、キーを上下動させるとともに、キーを押し下げて行く過程の感触、いわゆるタイプ感を作り出すアクチュエータの一例である。機構部３００は、例えば基板５００に固定され、キートップ２００を保持する。機構部３００は、キートップ２００を通常位置に保持すると共に、ユーザによりキートップ２００が押し下げられると、押し下げられた状態から再び通常位置へ復帰させるまでの上下動を補助する役割を有する。ラバードーム４００は、ドーム状のばねである。また、本実施形態においてラバードーム４００は、キートップ２００が押圧されるとともに変形して基板５００に形成された信号パターンの接点と接触する。これによりラバードーム４００は、キートップ２００の上下動に応じて接点を開閉する。このため、ラバードーム４００は、少なくとも上記接点と接触する部分が導電性を有する。
【００４６】
基板５００は、キートップ２００の上下動に応じた入力信号を生成するスイッチ部の機能を有する。基板５００は、例えばガラスエポキシ印刷配線板である。この基板５００上には、入力信号を生成するための接点が設けられた信号回路パターンが形成される。この信号回路パターンは、キー位置に対応する位置に接点が設けられる。また、基板５００上には、ＬＥＤ５３０に電力を供給するための電力供給パターンが形成される。この電力供給パターンは、キー位置に対応する位置にＬＥＤ５３０に電力を供給するための＋接点と−接点とが設けられる。ＬＥＤ５３０は、＋端子と−端子とを有し、電力供給パターンの＋接点と−接点とにそれぞれ半田付けされる。なお、この基板５００の詳細については、後述される。
【００４７】
ＬＥＤ５３０は、基板５００上において、キートップ２００を下方から照射する光源の一例である。このとき、ＬＥＤ５３０は、キートップ２００全面を照射することができる位置に配置されることが望ましい。また、ＬＥＤ５３０は、近紫外線を発する近紫外線ＬＥＤであってよい。例えばキートップ２００に蓄光材料が含まれている場合には、近紫外線ＬＥＤを用いることにより、キートップ２００に用いられた蓄光材料の発光効率が高まるという効果がある。
【００４８】
（３−３．基板構成）
次に、本実施形態に係る基板５００の詳細な構成について図５及び図６を参照しながら説明する。図５は、本実施形態にかかる入力装置の入力信号を生成する信号線のマトリックス構造の概要を示す説明図である。図６は、本実施形態にかかる入力装置の基板上の信号線と電力線との配線パターン例を示す説明図である。
【００４９】
基板５００上に形成される信号線パターンは、図５に示すように、横方向のＸ線と縦方向のＹ線とが、キートップ２００の配置と対応する配置で交わり、接点を形成している。この接点は、キートップ２００の上下動に応じて開閉する。すなわち、この接点はＸ線と接続されるＸ接点とＹ線と接続されるＹ接点とにより形成される。そして、Ｘ接点とＹ接点とは、キートップ２００が通常位置に保持されているときには“開”状態（即ちＸ接点とＹ接点とが接続されていない状態）である。また、キートップ２００が押圧されて、ラバードーム４００を押圧し、ラバードーム４００の導電性を有する部分がＸ接点とＹ接点との両方と接触したときには、Ｘ接点とＹ接点とは“閉”状態（即ちＸ接点とＹ接点とが接続された状態）である。
【００５０】
基板５００上には、信号線パターンと電力線パターンとが形成される。この信号線パターンと電力線パターンとは、例えばプリント配線により形成される。信号線パターンと電力線パターンとの配線例が図６に示される。
【００５１】
例えば図５において、Ｘ３の信号線とＹ１の信号線とが交わった接点１は、図６のＹ接点１ＹとＸ接点１Ｘにより形成される。また、この接点１の近傍には、ＬＥＤ５３０に対して電力を供給するための電力線と接続する端子が設けられる。即ち、図６の接点１＋と接点１−とを、ＬＥＤ５３０の＋端子と−端子とがそれぞれ半田付けされる。すなわち、Ｙ接点１Ｙ、Ｘ接点１Ｘ、接点１＋、および接点１−は、接点１と対応づけられたキートップ２００の裏に設けられる。すなわち、ＬＥＤ５３０は、キートップ２００のそれぞれに対応して設けられる。
【００５２】
なお、基板５００は、キートップ２００が押圧される度に接点に衝撃が加わる。このため、基板５００は、耐久性を有する材質が用いられることが好ましい。基板５００は、リジッド基板であってよい。また、より具体的には、基板５００は、ガラスエポキシ基板であってよい。
【００５３】
（３−４．組立例）
以上、本実施形態に係る入力装置のキースイッチを構成する主な構成要素について説明してきた。これらの構成要素は、例えば図７に示すように組合わされる。これにより、キートップ２００がユーザにより押圧されると、機構部３００及びラバードーム４００が下方に押し下げられる。このとき、ラバードーム４００は変形して基板５００上の接点を接続する。接点が接続されると、接続された接点に応じた入力信号が生成される。なお、機構部３００およびラバードーム４００を含むアクチュエータは、基板５００に直接接着されてよい。
【００５４】
なお、ここで示した物理的構造は一例であり、本発明はかかる例に限定されない。例えば、図７に示したキースイッチ構造は、図４の例と異なり、機構部３００としてパンタグラフ型のアクチュエータが用いられている。また、機構部３００が省略された構造であってもよい。
【００５５】
なお、本実施形態に係る入力装置のキースイッチは、基板５００に直接機構部３００が溶着される。この溶着の様子の一例が、図８に示される。機構部３００は、基板５００に設けられた溶着穴を利用して溶着される。溶着穴に機構部３００を通した後、機構部が溶着された様子が符号３３０の部分に示される。
【００５６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５７】
１０      ノートＰＣ（情報処理装置）
１０１    ＣＰＵ
１０２    ＲＯＭ
１０３    ＲＡＭ
１０４    ホストバス
１０５    ブリッジ
１０６    外部バス
１０７    インタフェース
１０８    入力装置
１０９    出力装置
１１０    ストレージ装置（ＨＤＤ）
１１１    ドライブ
１１２    通信装置
２００    キートップ
３００    機構部（アクチュエータ）
４００    ラバードーム（アクチュエータ）
５００    基板（スイッチ部）
５３０    ＬＥＤ（光源部）
【図１】
2012133909.tif 000003
【図２】
2012133909.tif 000004
【図３】
2012133909.tif 000005
【図４】
2012133909.tif 000006
【図５】
2012133909.tif 000007
【図６】
2012133909.tif 000008
【図７】
2012133909.tif 000009
【図８】
2012133909.tif 000010
【図９】
2012133909.tif 000011